(57)【要約】【課題】  バッテリフォークリフトの走行時や停止時にバッテリ搭載室内でバッテリケースが移動したりするのを防止し、バッテリケースとバッテリ搭載室を形成する側面パネルとの衝突を無くして、衝突による騒音の発生や破損といった問題を無くす。【解決手段】  車体１の前後側に配置した相対する側面パネル１５，１６と車体１の左右側に配置した相対する側面パネル１７，１８とから形成すると共に、動力源であるバッテリ１１を収納するバッテリケース１２を内側に取出し自在に搭載するバッテリフォークリフトのバッテリ搭載室において、相対する前後側の側面パネル１５，１６の内側下部を下方に行くにしたがって次第に狭まるようにし、その相対する前後側の側面パネル１５，１６の下端の間隔をバッテリケース１２下端の外寸と略同寸にする。【選択図】図４
2006264940.tif 000002
【特許請求の範囲】
【請求項１】
車体１の前後側に配置した相対する側面パネル１５，１６と車体１の左右側に配置した相対する側面パネル１７，１８とから形成すると共に、動力源であるバッテリ１１を収納するバッテリケース１２を内側に取出し自在に搭載するバッテリフォークリフトのバッテリ搭載室において、
相対する側面パネルの内側下部を下方に行くにしたがって次第に狭まるようにし、その相対する側面パネルの下端の間隔をバッテリケース１２下端の外寸と略同寸にしたことを特徴とするバッテリフォークリフトのバッテリ搭載室。
【請求項２】
前記相対する側面パネルにあっては、車体１の前後側に配置した側面パネル１５，１６であることを特徴とする請求項１記載のバッテリフォークリフトのバッテリ搭載室。
【請求項３】
前記側面パネルにあっては、車体１の前後側に配置した側面パネル１５，１６と車体１の左右側に配置した側面パネル１７，１８とであることを特徴とする請求項１記載のバッテリフォークリフトのバッテリ搭載室。
【発明の詳細な説明】
【技術分野】
【０００１】
本発明は、バッテリを動力源として駆動するバッテリフォークリフトにあって、その車体内部に形成するバッテリ搭載室に関する。
【背景技術】
【０００２】
従来、バッテリを動力源として駆動するバッテリフォークリフトは、図１に示すように、車体１には前後に車輪２を備えると共に、その前部にり作業機３を備え、この作業機３は立設するマスト４やリフトシリンダ５、またこのマスト４に沿って昇降動するフォーク爪６をそれぞれ有している。そして、車体１の中央にはヘッドガード７によって覆われる運転席８が備えられている。また、車体１の後部にはカウンターウエイト９を備えている。
【０００３】
このようになるバッテリフォークリフトにおいて、動力源であるバッテリ１１は箱状のバッテリケース１２内に収納し、このバッテリ１１を収納したバッテリケース１２を車体１の中央に備えた運転席８の下側に形成したバッテリ搭載室の内側に取出し自在に搭載するようにしていた。
【０００４】
このバッテリ搭載室は、図２に示すように、車体１の前後側に配置した相対する側面パネル１５，１６と車体の左右側に配置した相対する側面パネル１７，１８とにより前後左右が塞がられると共に、運転席を取付けた上下に開閉自在となるボンネットパネルにより上側が覆われるようになっていた。この前後側の側面パネル１５，１６と左右側の側面パネル１７，１８及びボンネットパネルによってバッテリ搭載室が形成されていた。なお、前側の側面パネル１５と左右側の側面パネル１７，１８にあっては、車体の外装体となっていた。
【０００５】
このバッテリ搭載室にあっては、当該バッテリ搭載室を形成する前後側の側面パネル１５，１６及び左右側の側面パネル１７，１８と、バッテリ１１を収納したバッテリケース１２との間に隙間Ｓを設けるようにしていた。この前後側及び左右側の側面パネル１５，１６，１７，１８とバッテリケース１２との間に隙間Ｓを設けることにより、バッテリケース１２内に収納したバッテリ１１の交換を行う際、バッテリケース１２をバッテリ搭載室より吊り上げて上方に出したり、あるいは、バッテリケース１２をバッテリ搭載室に上方より吊り下げて入れたりする作業を行うが、このバッテリ搭載室からのバッテリケース１２の出し入れ作業を非常に容易に行えるようにしていた。
【発明の開示】
【発明が解決しようとする課題】
【０００６】
かかる従来のバッテリフォークリフトのバッテリ搭載室において、バッテリ交換時におけるバッテリケースの出し入れ作業の容易化のため、バッテリ搭載室を形成する前後側の側面パネル及び左右側の側面パネルとバッテリケースとの間に隙間を設けていたが、この隙間を設けたことにより、バッテリフォークリフトの走行時や停止時において、バッテリケースがバッテリ搭載室内において振動等により横への移動が起こって、バッテリケースがバッテリ搭載室を形成する前後側の側面パネルや左右側の側面パネルに衝突して打音といった騒音を発生させたり、あるいはバッテリケースが前後側の側面パネルや左右側の側面パネルに衝突して、これらを破損させるといった問題が生じるおそれがあった。また、非常に重量物となるバッテリケースが横に移動してずれることによりバッテリフォークリフトにおける車体姿勢が不安定な状態になり、走行安定性等が低下するといった問題が生じるおそれもあった。
本発明は、これらの問題等を解消することを、その課題とする。
【課題を解決するための手段】
【０００７】
第一の発明は、車体の前後側に配置した相対する側面パネルと車体の左右側に配置した相対する側面パネルとから形成すると共に、動力源であるバッテリを収納するバッテリケースを内側に取出し自在に搭載するバッテリフォークリフトのバッテリ搭載室において、
相対する側面パネルの内側下部を下方に行くにしたがって次第に狭まるようにし、その相対する側面パネルの下端の間隔をバッテリケース下端の外寸と略同寸にする。
【０００８】
第二の発明は、第一の発明において、前記相対する側面パネルにあっては、車体の前後側に配置した側面パネルとする。
【０００９】
第三の発明は、第一の発明において、前記側面パネルにあっては、車体の前後側に配置した側面パネルと車体の左右側に配置した側面パネルとする。
【発明の効果】
【００１０】
本発明によれば、相対する側面パネルにおいて、その内側下部を下方に行くにしたがって次第に狭まるようにし、その相対する側面パネルの下端の間隔をバッテリケース下端の外寸と略同寸にしたことで、バッテリ搭載室に搭載するバッテリケースを保持することができる。これにより、バッテリフォークリフトの走行時や停止時にバッテリ搭載室内でバッテリケースが移動したりするのを防止することができ、バッテリケースと相対する側面パネルとの衝突を無くすことで、衝突による騒音の発生や破損といった問題を無くす。
【００１１】
また、バッテリ搭載室内におけるバッテリケースの移動を無くすことにより、バッテリフォークリフトにおける車体姿勢の安定化を図り、走行安定性等を向上させる。
【発明を実施するための最良の形態】
【００１２】
本発明によるバッテリフォークリフトのバッテリ搭載室の第一の実施形態について説明する。
バッテリフォークリフトにおいて、図３に示すように、車体１の中央に、車体１前側に配置する前側の側面パネル１５と車体１後側に配置する後側の側面パネル１６である相対する前後側の側面パネル１５，１６と、車体１左側に配置する左側の側面パネル１７と車体１右側に配置する右側の側面パネル１８である相対する左右側の側面パネル１７，１８と、から前後左右が塞がれる略方形状のバッテリ搭載室を形成する。また、このバッテリ搭載室の上方には後端部に設けたヒンジを介して開閉自在となるボンネットパネル１９を備え、この開閉自在となるボンネットパネル１９の上部に運転席８を備える。
【００１３】
そして、このようになるバッテリ搭載室の内側にバッテリ１１を収納した箱状のバッテリケース１２を取出し自在に搭載するようになっており、バッテリ搭載室の内側にバッテリケース１２を搭載した際、上方のボンネットパネル１９の下面がバッテリケース１２の上面を押し付けるようにしている。
【００１４】
そして、このバッテリ搭載室にあっては、車体１前側に配置する前側の側面パネル１５と車体１後側に配置する後側の側面パネル１６である相対する前後側の側面パネル１５，１６において、内側下部を下方に行くにしたがって次第に狭まるようにし、その相対する前後側の側面パネル１５，１６の下端の間隔Ｌをバッテリケース１２下端の外寸Ｗと略同寸にする。これは、図４に示すように、前後側のそれぞれの側面パネル１５，１６の下から３分の１程度の高さより下方に向かって斜め直線的に内側に向かう傾斜面２１を形成し、この向かい合った傾斜面２１の下端の間隔Ｌをバッテリケース１２下端の外寸Ｗと略同寸にして、バッテリケース１２との間に隙間を有さないようにする。
【００１５】
このような構成となるバッテリフォークリフトのバッテリ搭載室において、バッテリケース１２内のバッテリ１１の交換作業にあっては、まず、使用済みのバッテリ１１を収納したバッテリケース１２を吊り上げてバッテリ搭載室から取出し、次に、充電されたバッテリ１１が収納された別のバッテリケース１２を吊り上げて、バッテリ搭載室の上方に位置させ、バッテリケース１２を上方よりバッテリ搭載室に吊り下げて入れる。この作業では、バッテリ搭載室における前後側の側面パネル１５，１６及び左右側の側面パネル１７，１８とバッテリケース１２との間には隙間Ｓを設けているので、バッテリケースをバッテリ搭載室より上方に取り出す場合、この隙間Ｓによって極めて容易に取り出すことができると共に、バッテリケース１２をバッテリ搭載室内に入れる場合も、この隙間Ｓによってバッテリケース１２を極めて容易に入れることができる。さらに、バッテリケース１２をバッテリ搭載室内に入れる際、バッテリケース１２を下げていくと、バッテリ搭載室に対してバッテリケース１２が多少ずれていても、相対する前後側の側面パネル１５，１６の内側下部に形成した傾斜面２１に沿ってバッテリケース１２が誘導されるので、所定位置にバッテリケース１２を搭載することができ、搭載後はバッテリ搭載室を形成する前後側の側面パネル１５，１６によってバッテリケース１２の前後が保持される。
【００１６】
このようにバッテリ搭載室にあっては、相対する前後側の側面パネル１５，１６において、内側下部を下方に行くにしたがって次第に狭まるようにし、その相対する前後側の側面パネル１５，１６の下端の間隔Ｌをバッテリケース１２下端の外寸Ｗと略同寸にしたことで、バッテリ搭載室に搭載するバッテリケース１２を前後から保持することができ、バッテリフォークリフトの走行時や停止時にバッテリケース１２がバッテリ搭載室内において横へ移動したりするのを防止して、バッテリケース１２と前後側の側面パネル１５，１６や左右側の側面パネル１７，１８との衝突を無くすことができ、衝突による騒音の発生や破損といった問題を無くすことができる。しかも、重量物であるバッテリケース１２の横への移動が無くなることにより、バッテリフォークリフトにおける車体１姿勢の安定化が図れるようになり、走行安定性等の低下を防止することができる。
【００１７】
なお、バッテリケース１２をバッテリ搭載室に収納した際、バッテリケース１２及びバッテリ搭載室の上部には隙間Ｓを設けているので、従来と同様、バッテリの交換作業におけるバッテリ搭載室からのバッテリ１１を収納したバッテリケース１２の出し入れ作業は極めて容易に行うことができる。
【００１８】
また、前述の実施形態では、相対する前後側の側面パネル１５，１６の内側下部に下方に向かって斜め直線的に内側に向かう傾斜面２１を形成しているが、これに限定されるものではなく、例えば、図５に示すように、前後側のそれぞれの側面パネル１５，１６の下から３分の１程度の高さより下方にむかって斜め曲線的に内側に向かう湾曲面２２を形成し、この向かい合った湾曲面２２の下端の間隔Ｌをバッテリケース１２下端の外寸Ｗと略同寸にするようにしても良い。
【００１９】
さらに、変形例として、相対する前後側の側面パネル１５，１６の下部に形成する傾斜面２１にあっては、図６、図７に示すように、その下端部に小さな垂直面２３を形成するようにし、この傾斜面２１と垂直面２３を有する部分を前後側の側面パネル１５，１６と別体となるブロック体２４として、ボルト等を用いて着脱自在な構造にしても良い。なお、相対する前後側の側面パネル１５，１６の内側下部に備えるブロック体２４の垂直面２３の間隔Ｌはバッテリケース１２下端の外寸Ｗと略同寸とする。このように着脱自在なブロック体２４を備える構造にすることで、例えば、バッテリ搭載室に搭載するバッテリケース１２の大きさが異なることがあったとしても、これに対応した複数種類のブロック体２４を用意しておき、使用するバッテリケース１２の大きさに合わせてブロック体２４を選択することで、このブロック体２４により常に確実にバッテリケース１２を保持することができる。さらに、このブロック体２４にあって、下端部に小さな垂直面２３を有することで、バッテリケース１２を装着した際、この垂直面２３によりバッテリケース１２を極めて確実に保持することができる。
【００２０】
次に、本発明によるバッテリフォークリフトのバッテリ搭載室の第二の実施形態について説明する。
この第二の実施形態にあっては、第一の実施形態で述べたような相対する前後側の側面パネル１５，１６において、内側下部を下方に行くにしたがって次第に狭まるようにし、その相対する前後側の側面パネル１５，１６の下端の間隔Ｌをバッテリケース１２下端の外寸Ｗと略同寸にすると共に、さらに、相対する左右側の側面パネル１７，１８すなわち車体１左側に配置する左側の側面パネル１７と車体１右側に配置する右側の側面パネル１８においても、内側下部を下方に行くにしたがって次第に狭まるようにし、その相対する左右側の側面パネル１７，１８の下端の間隔Ｌをバッテリケース１２下端の外寸Ｗと略同寸にする。
【００２１】
これも、図８に示すように、左右側のそれぞれの側面パネル１７，１８の下から３分の１程度の高さより下方にむかって斜め直線的に内側に向かう傾斜面２１を形成し、この向かい合った傾斜面２１の下端の間隔Ｌをバッテリケース１２下端の外寸Ｗと略同寸にして、バッテリケース１２との間に隙間を有さないようにしても良いし、また、図９に示すように、左右側のそれぞれの側面パネル１７，１８の下から３分の１程度の高さより下方にむかって斜め曲線的に内側に向かう湾曲面２２を形成し、この向かい合った湾曲面２２の下端の間隔Ｌをバッテリケース１２下端の外寸Ｗと略同寸にするようにしても良い。
【００２２】
さらに、図１０に示すように、相対する左右側の側面パネル１７，１８において、相対する左右側の側面パネル１７，１８の下部に傾斜面２１と小さな垂直面２３とを有するブロック体２４を着脱自在に備えるようにしても良い。
【００２３】
このようにバッテリ搭載室にあっては、相対する前後側の側面パネル１５，１６及び相対する左右側の側面パネル１７，１８において、内側下部を下方に行くにしたがって次第に狭まるようにし、その相対する前後側の側面パネル１５，１６及び相対する左右側の側面パネル１７，１８の下端の間隔Ｌをバッテリケース１２下端の外寸Ｗと略同寸にしたことで、バッテリ搭載室に搭載するバッテリケース１２を前後左右の四方から保持することができ、バッテリフォークリフトの走行時や停止時にバッテリケース１２がバッテリ搭載室内において横へ移動したりするのを全く無くすことができる。これにより、バッテリケース１２と前後側の側面パネル１５，１６や左右側の側面パネル１７，１８との衝突を無くすことで、衝突による騒音の発生や破損といった問題を完全に無くすことができる。しかも、重量物であるバッテリケース１２の前後左右の横への移動が全く無くなることにより、バッテリフォークリフトにおける車体１姿勢の安定化が図れるようになり、走行安定性等の低下を防止することができる。
【００２４】
なお、前述した第一の実施形態にあっては、相対する前後側の側面パネル１５，１６において、内側下部を下方に行くにしたがって次第に狭まるようにし、その相対する前後側の側面パネル１５，１６の下端の間隔Ｌをバッテリケース１２下端の外寸Ｗと略同寸にしており、また、前述した第二の実施形態にあっては、相対する前後側の側面パネル１５，１６及び相対する左右側の側面パネル１７，１８において、内側下部を下方に行くにしたがって次第に狭まるようにし、その相対する前後側の側面パネル１５，１６及び相対する左右側の側面パネル１７，１８の下端の間隔Ｌをバッテリケース１２下端の外寸Ｗと略同寸にしていた。しかしながら、これらに限定されるものではなく、相対する左右側の側面パネル１７，１８において、内側下部を下方に行くにしたがって次第に狭まるようにし、その相対する左右側の側面パネル１７，１８の下端の間隔Ｌをバッテリケース１２下端の外寸Ｗと略同寸にするようにしても良い。
【００２５】
また、バッテリフォークリフトの車種の中には、前述したようなバッテリケース１２を上方に吊り上げて出し入れするタイプ以外に、バッテリケース１２を車体１の左右より他のフォークリフトを使って出し入れするタイプが知られている。このようなタイプに用いられるバッテリケース１２にあっては、図１１に示すように、その下部に左右に向かう四角筒状のフォーク爪挿入口２５を前後にそれぞれ備えている。
【００２６】
このような場合、バッテリ搭載室にあっては、図１２に示すように、車体１前側に配置する前側の側面パネル１５と車体１後側に配置する後側の側面パネル１６である相対する前後側の側面パネル１５，１６において、内側下部を下方に行くにしたがって次第に狭まるようにし、その相対する前後側の側面パネル１５，１６の下端の間隔Ｌをバッテリケース１２下端の外寸Ｗである前後のフォーク爪挿入口２５の外側の寸法Ｗと略同寸にする。そして、前後側の側面パネル１５，１６における向かい合った斜め直線的に内側に向かう傾斜面２１の下端の間隔Ｌを前後のフォーク爪挿入口２５の外側の寸法Ｗと略同寸にすることで、ここに隙間を有さないようにする。これにより、このバッテリ搭載室において、バッテリケース１２の下部に備えたフォーク爪挿入口２５を前後から保持することで、バッテリケース１２自体を保持するようにする。
【００２７】
なお、この場合も、斜め直線的に内側に向かう傾斜面２１に限定させるものではなく、斜め曲線的に内側に向かう湾曲面２２やその他のものでも良い。
【図面の簡単な説明】
【００２８】
【図１】バッテリフォークリフトの側面図である。
【図２】従来のバッテリフォークリフトのバッテリ搭載室の上面図である。
【図３】本発明によるバッテリフォークリフトにおけるバッテリ搭載室付近を説明する斜視図である。
【図４】本発明によるバッテリフォークリフトのバッテリ搭載室の第一の実施形態を示す断面説明図である。
【図５】本発明によるバッテリフォークリフトのバッテリ搭載室の第一の実施形態における変形例を示す断面説明図である。
【図６】本発明によるバッテリフォークリフトのバッテリ搭載室の第一の実施形態における変形例を示す断面説明図である。
【図７】図６のＡ部の詳細図である。
【図８】本発明によるバッテリフォークリフトのバッテリ搭載室の第二の実施形態を示す断面説明図である。
【図９】本発明によるバッテリフォークリフトのバッテリ搭載室の第二の実施形態における変形例を示す断面説明図である。
【図１０】本発明によるバッテリフォークリフトのバッテリ搭載室の第二の実施形態における変形例を示す断面説明図である。
【図１１】バッテリケースを説明する斜視図である。
【図１２】本発明によるバッテリフォークリフトのバッテリ搭載室の他の実施形態を示す断面説明図である。
【符号の説明】
【００２９】
１…車体、２…車輪、３…作業機、４…マスト、５…リフトシリンダ、６…フォーク爪、７…ヘッドガード、８…運転席、９…カウンターウエイト、１１…バッテリ、１２…バッテリケース、１５…側面パネル、１６…側面パネル、１７…側面パネル、１８…側面パネル、１９…ボンネットパネル、２１…傾斜面、２２…湾曲面、２３…垂直面、２４…ブロック体、２５…フォーク爪挿入口。
【図１】
2006264940.tif 000003
【図２】
2006264940.tif 000004
【図３】
2006264940.tif 000005
【図４】
2006264940.tif 000006
【図５】
2006264940.tif 000007
【図６】
2006264940.tif 000008
【図７】
2006264940.tif 000009
【図８】
2006264940.tif 000010
【図９】
2006264940.tif 000011
【図１０】
2006264940.tif 000012
【図１１】
2006264940.tif 000013
【図１２】
2006264940.tif 000014